(57)【要約】【課題】引き出し部を本体部に収納移動させる際に、使用者が足の指を挟んでしまうことを防止する。【解決手段】洗浄槽２を備えた引き出し部３が、床面上またはその近くに設置される本体部４に対して、引き出し移動および収納移動可能に設けられた食器洗浄機において、引き出し部３の前壁部分３ａが、その下方側部分を上方側部分よりも内方側に入り込めた蹴込み部６を備えて構成され、引き出し部３の側方には、蹴込み部６に対応する高さに設置されて、その蹴込み部６に対応する部分を閉塞する下方側用閉塞体１３が設けられている。【選択図】        図２
2005000362.tif 000002
【特許請求の範囲】
【請求項１】
洗浄槽を備えた引き出し部が、床面上またはその近くに設置される本体部に対して、引き出し移動および収納移動可能に設けられた食器洗浄機であって、
前記引き出し部の前壁部分が、その下方側部分を上方側部分よりも内方側に入り込めた蹴込み部を備えて構成され、
前記引き出し部の側方には、前記蹴込み部に対応する高さに設置されて、その蹴込み部に対応する部分を閉塞する下方側用閉塞体が設けられている食器洗浄機。
【請求項２】
前記引き出し部の側方には、前記下方側用閉塞体の設置箇所よりも上方側部分を閉塞する上方側用閉塞体が設けられている請求項１に記載の食器洗浄機。
【請求項３】
前記引き出し部の前壁部分における蹴込み部の前面に設置自在な蹴込み用閉塞体が設けられ、
前記下方側用閉塞体が、前記蹴込み用閉塞体と一体状態に設けられている請求項１または２に記載の食器洗浄機。
【請求項４】
前記下方側用閉塞体が、前記引き出し部の移動に伴って、前記本体部の内方側を移動するように構成されている請求項１〜３のいずれか１項に記載の食器洗浄機。
【請求項５】
前記下方側用閉塞体が、前記引き出し部の移動に伴って、前記本体部の外方側を移動するように構成されている請求項１〜３のいずれか１項に記載の食器洗浄機。
【発明の詳細な説明】
【０００１】
【発明の属する技術分野】
本発明は、洗浄槽を備えた引き出し部が、床面上またはその近くに設置される本体部に対して、引き出し移動および収納移動可能に設けられた食器洗浄機に関する。
【０００２】
【従来の技術】
上記のような食器洗浄機は、台所のキャビネットなどに設置するビルトイン型のものであり、引き出し部を本体部から引き出し移動させて、洗浄槽に食器などの被洗浄物を洗浄槽内に収納可能とし、引き出し部を本体部に対して収納移動させて、洗浄槽を本体部の収納位置に収納させて、洗浄運転や乾燥運転などの各運転を行うものである。
【０００３】
このような食器洗浄機が設置される台所のキャビネットの前壁部分には、その下方側部分を上方側部分よりも内方側に入り込めたキャビネット用蹴込み部分が備えられている。
したがって、このような食器洗浄機では、引き出し部の前壁部分に、その下方側部分を上方側部分よりも内方側に入り込めた蹴込み部を備えて構成することにより、引き出し部を本体部に収納移動した状態において、その引き出し部の前壁部分とキャビネットの前壁部分とが面一になるようにしている。
【０００４】
そして、従来の食器洗浄機では、引き出し部における洗浄槽の設置位置を、上下方向において、引き出し部の前壁部分における蹴込み部に連なる下方側部分まで下げることにより、蹴込み部に連なる下方側部分をも洗浄槽の設置スペースとして利用し、その下方側部分まで下げた洗浄槽の前面部などを閉塞するために、引き出し部の前壁部分における蹴込み部を閉塞する蹴込み用閉塞体が設けられ、引き出し部の側方については、そのまま剥き出しになっている（例えば、特許文献１参照。）。
【０００５】
【特許文献１】
特開２００２−１１９４５７号公報
【０００６】
【発明が解決しようとする課題】
上記従来の食器洗浄機では、引き出し部の側方がそのまま剥き出しとなっているので、引き出し部の側方において、蹴込み部に対応する部分に、引き出し部の前壁部分における横端部よりも内側に入り込んだ大きな開放空間ができることになる。
説明を加えると、引き出し部の側方において、蹴込み部の下端部に対応する高さと洗浄槽の底面部に対応する高さとの間に隙間が生じるので、引き出し部の側方において、蹴込み部の下端部に対応する高さと洗浄槽の底面部に対応する高さとの間の部分が開放されて、その部分に大きな開放空間ができることになる。
【０００７】
そして、引き出し部の側方において、蹴込み部に対応する部分に、大きな開放空間ができると、使用者が、その空間に足の指などを入り込ませたまま、誤って引き出し部を本体部に収納移動させてしまい、足の指などを挟んでしまう虞がある。
【０００８】
本発明は、かかる点に着目してなされたものであり、その目的は、引き出し部を本体部に収納移動させる際に、使用者が足の指などを挟んでしまうことを防止できる食器洗浄機を提供する点にある。
【０００９】
【課題を解決するための手段】
この目的を達成するために、本発明にかかる食器洗浄機の第１特徴構成は、洗浄槽を備えた引き出し部が、床面上またはその近くに設置される本体部に対して、引き出し移動および収納移動可能に設けられた食器洗浄機において、
前記引き出し部の前壁部分が、その下方側部分を上方側部分よりも内方側に入り込めた蹴込み部を備えて構成され、前記引き出し部の側方には、前記蹴込み部に対応する高さに設置されて、その蹴込み部に対応する部分を閉塞する下方側用閉塞体が設けられている。
【００１０】
すなわち、引き出し部の側方において、下方側用閉塞体にて蹴込み部に対応する部分を閉塞することができるので、引き出し部の側方における蹴込み部に対応する部分に、引き出し部の前壁部分における横側部よりも内側に入り込んだ大きな空間ができることを防止できる。
したがって、引き出し部の側方における蹴込み部に対応する部分に、足の指などが入り込むような大きな空間をなくすことができるので、引き出し部を本体部に収納移動させる際に、使用者が足の指を挟んでしまうことを防止できることになる。
【００１１】
以上のことから、引き出し部を本体部に収納移動させる際に、使用者が足の指を挟んでしまうことを防止できる食器洗浄機を提供できるに至った。
【００１２】
本発明にかかる食器洗浄機の第２特徴構成は、前記引き出し部の側方には、前記下方側用閉塞体の設置箇所よりも上方側部分を閉塞する上方側用閉塞体が設けられている点にある。
【００１３】
すなわち、上方側用閉塞体と下方側用閉塞体とを設けることによって、引き出し部の側方において、蹴込み部に対応する部分とその部分よりも上方側部分を閉塞することができることになる。
そして、上方側用閉塞体については、洗浄槽の外側壁部分を利用することにより平面状で閉塞することができるので、引き出し部の側方のうち、洗浄槽の外側壁部分を閉塞する部分を上方側用閉塞体として兼用することができることになる。
【００１４】
また、例えば、既設の食器洗浄機が引き出し部の前壁部分における蹴込み部を閉塞する蹴込み用閉塞体が設けられている食器洗浄機である場合には、その蹴込み用閉塞体の横端部に下方側用閉塞体を取り付けることにより、引き出し部の側方において、蹴込み部に対応する部分を閉塞することができることになる。
したがって、既設の食器洗浄機に下方側用閉塞体を取り付けるだけで、引き出し部を本体部に収納移動させる際に、使用者が足の指を挟んでしまうことを防止することができ、既設の食器洗浄機を利用しながら、容易に使用者が足の指を挟んでしまうことを防止することができることになる。
【００１５】
本発明にかかる食器洗浄機の第３特徴構成は、前記引き出し部の前壁部分における蹴込み部の前面に設置自在な蹴込み用閉塞体が設けられ、前記下方側用閉塞体が、前記蹴込み用閉塞体と一体状態に設けられている点にある。
【００１６】
すなわち、蹴込み用閉塞体と下方側用閉塞体とが一体状態に設けられているので、蹴込み用閉塞体に一体状態で設けられている下方側用閉塞体を取り付けるだけで、蹴込み部に対応する部分を閉塞するように下方側用閉塞体を設置することができることになる。
したがって、蹴込み用閉塞体と下方側用閉塞体とが別体状態に設けられているものと比べて、下方側用閉塞体を容易に設置することができることになる。
【００１７】
本発明にかかる食器洗浄機の第４特徴構成は、前記下方側用閉塞体が、前記引き出し部の移動に伴って、前記本体部の内方側を移動するように構成されている点にある。
【００１８】
すなわち、引き出し部の側方のうち、引き出し部を本体部に収納移動させた際に、下方側用閉塞体が本体部の内側に収納されることになる。
したがって、引き出し部を本体部に収納移動させた際に、下方側用閉塞体を本体部に安定して収納させることができることになる。
【００１９】
本発明にかかる食器洗浄機の第５特徴構成は、前記下方側用閉塞体が、前記引き出し部の移動に伴って、前記本体部の外方側を移動するように構成されている点にある。
【００２０】
すなわち、引き出し部を本体部に収納移動させた際に、下方側用閉塞体が本体部の外方側に移動するので、単に、下方側用閉塞体を設けるだけで、本体部に下方側用閉塞体を収納させる空間などを設けなくても、引き出し部を本体部に収納移動させることができることになる。
したがって、本体部に下方側用閉塞体を収納する収納部を設けなくてもよいので、本体部の構成の簡素化を図ることができることになる。
【００２１】
【発明の実施の形態】
本発明にかかる食器洗浄機を図面に基づいて説明する。
〔第１実施形態〕
この食器洗浄機は、図１〜図４に示すように、台所のキャビネット１に隣接する状態で設置され、洗浄槽２を備えた引き出し部３が、床面上またはその近くに設置される本体部４に対して、引き出し移動および収納移動可能に設けられている。
【００２２】
ちなみに、図１は、台所のキャビネット１に隣接するように食器洗浄機を設置した状態を示す図であり、図２は、食器洗浄機の斜視図であり、図３は、食器洗浄機の側面図であり、図４は、食器洗浄機の一部切欠正面図である。
【００２３】
そして、この食器洗浄機は、引き出し部３を本体部４に収納した状態で洗浄槽２の上面部を閉塞し、かつ、引き出し部３を本体部４から引き出した状態で洗浄槽２の上面部を開口させる内蓋部５、食器洗浄機の運転を制御する制御部などを備えて構成されている。
【００２４】
また、図示はしないが、引き出し部３には、洗浄槽２の下方に、洗浄ポンプ、排水ポンプなども備えられ、洗浄槽２の内部には、洗浄ノズルやヒーターなどが設けられ、食器などを収納載置するステンレス製の洗浄かごが取り出し自在に収納されている。
【００２５】
前記本体部４の内側方側に、洗浄槽２を本体部４に対して収納移動および本体部４から引き出し移動させるための左右一対のレール案内体８が設けられ、引き出し部３の側壁部分３ｂに、レール案内体８にて案内される左右一対のレール体９が設けられている。
そして、洗浄槽２の前部には扉１０が設けられ、その扉１０の把手を操作することにより、引き出し部３を本体部４から引き出し移動させたり、引き出し部３を本体部４に収納移動させるように構成されている。
【００２６】
説明を加えると、引き出し部３の引き出し操作に伴って、レール案内体８がレール体９を本体部４の前方側に案内して、本体部４から引き出し部３を前方側に引き出し移動させて、食器などの被洗浄物を洗浄槽２内に収納するように構成されている。
また、引き出し部３の収納操作に伴って、レール案内体８がレール体９を本体部４の後方側に案内して、引き出し部３を本体部４に対して後方側に収納移動させて、引き出し部３を本体部４の収納位置に収納させて扉１０にて本体部４を閉塞するように構成されている。
【００２７】
そして、引き出し部３を本体部４から引き出した状態で、食器などを洗浄かごに収納したり取り出し可能とし、引き出し部３を本体部４に収納した状態で、洗浄ポンプ、洗浄ノズルやヒータなどを作動させて、洗浄運転や乾燥運転などの各運転を行うように構成されている。
【００２８】
前記内蓋部５は、図外のコイルスプリングやカム機構を利用して、引き出し部３の収納方向への移動および引き出し方向への移動に連動して、洗浄槽２の上面部に対して上下動させて、引き出し部３を収納位置まで移動させると、内蓋部５にて洗浄槽２の上面部を閉塞し、引き出し部３を本体部４から引き出した状態で洗浄槽２の上面部を開口させるように構成されている。
なお、内蓋部５を、洗浄槽２の移動に連動して移動させるとともに、洗浄槽２の上面部に対して上下動させるための構成は、コイルスプリングやカム機構に限らず、例えば、リンク機構など、各種のものが適応可能である。
【００２９】
そして、引き出し部３の前壁部分３ａが、その下方側部分を上方側部分よりも内方側に入り込めた蹴込み部６を備えて構成され、引き出し部３を本体部４に収納させた状態で、台所のキャビネット１の前壁部分に備えられているキャビネット用蹴込み部分７と、引き出し部３の前壁部分３ａにおける蹴込み部６とが面一になるように構成されている。
また、引き出し部３の前壁部分３ａにおける蹴込み部６の前面に設置自在な板状の蹴込み用閉塞体１１が設けられ、この蹴込み用閉塞体１１が蹴込み部６を閉塞するように構成されている。
そして、引き出し部３の前壁部分３ａが、扉１０および蹴込み用閉塞体１１にて構成され、引き出し部３を本体部４の収納位置に収納させた際に、扉１０および蹴込み用閉塞体１１にて本体部４の開口を閉塞するように構成されている。
【００３０】
前記引き出し部３の側方である、引き出し部３の左右一対の側壁部分３ｂには、蹴込み部６に対応する高さに設置されて、その蹴込み部６に対応する部分を閉塞する下方側用閉塞体１３が設けられている。
また、左右一対の側壁部分３ｂには、下方側用閉塞体１３に加えて、その下方側用閉塞体１３とは別体で、下方側用閉塞体１３の設置箇所よりも上方側部分を閉塞する上方側用閉塞体１５が設けられている。
そして、下方側用閉塞体１３が、蹴込み用閉塞体１１と一体状態に設けられ、引き出し部３の移動に伴って、本体部４の内方側を移動するように構成されている。
【００３１】
説明を加えると、図５に示すように、引き出し部３の側壁部分３ｂのうち、蹴込み部６に対応する部分よりも上方側部分については洗浄槽２の側壁部分３ｂを利用して平面状で閉塞してあるので、その上方側部分が上方側用閉塞体１５を兼用するように構成されている。
そして、下方側用閉塞体１３が蹴込み用閉塞体１１の横端部にビスや接着材にて固着されて、蹴込み用閉塞体１１と下方側用閉塞体１３とが一体状態に設けられ、その一体状態の蹴込み用閉塞体１１と下方側用閉塞体１３とを、洗浄槽２の底面部などにビスや接着材などを用いて固着するように構成されている。
また、本体部４の内側面部の下方側部分は、図４に示すように、引き出し部３を収納移動させた際に、下方側用閉塞体１３を収納できるように、その上方側部分よりも外側に張り出した状態で構成されている。
【００３２】
〔第２実施形態〕
この第２実施形態は、上記第１実施形態の下方側用閉塞体１３についての別実施形態を示すものであり、その点を中心に図面に基づいて説明を加える。
ちなみに、その他の構成については、上記第１実施形態と同様であるので、同符号を記すなどにより、その詳細な説明は省略する。
【００３３】
この第２実施形態では、図６および図７に示すように、引き出し部３の側壁部分３ｂにおける下方側用閉塞体１３が、引き出し部３の移動に伴って、本体部４の外方側を移動するように構成されている。
説明を加えると、下方側用閉塞体１３が、本体部４の外方側に位置するように、蹴込み用閉塞体１１の横端部に固着され、本体部４の外側面部には、その上方側部分よりも内方側に入り込めた下方側用閉塞体用収納部１６を備えて構成されている。
そして、引き出し部３を本体部４に収納移動させると、図８に示すように、下方側用閉塞体１３が下方側用閉塞体用収納部１６に移動するように構成されている。
【００３４】
〔別実施形態〕
（１）上記第１および第２実施形態では、下方側用閉塞体１３を、蹴込み用閉塞体１１と一体状態に設けて、その一体状態の蹴込み用閉塞体１１と下方側用閉塞体１３とを固着するようにしているが、図９に示すように、下方側用閉塞体１３を、蹴込み用閉塞体１１と分離状態で設けて、下方側用閉塞体１３と蹴込み用閉塞体１１とを各別に洗浄槽２の底面部などにビスや接着剤などを用いて固着するように構成して実施してもよい。
【００３５】
（２）上記第１および第２実施形態では、引き出し部３の側壁部分３ｂにおいて、下方側用閉塞体１３に加えて、その下方側用閉塞体１３の設置箇所よりも上方側部分を閉塞する上方側用閉塞体１５を設けているが、必ずしも上方側用閉塞体１５を設ける必要はなく、下方側用閉塞体１３のみを設けて実施することも可能である。
【図面の簡単な説明】
【図１】食器洗浄機を設置した状態を示す斜視図
【図２】第１実施形態における食器洗浄機の斜視図
【図３】第１実施形態における食器洗浄機の側面図
【図４】第１実施形態における食器洗浄機の一部切欠正面図
【図５】第１実施形態における食器洗浄機の要部を分解した斜視図
【図６】第２実施形態における食器洗浄機の斜視図
【図７】第２実施形態における食器洗浄機の側面図
【図８】第２実施形態における食器洗浄機の一部切欠正面図
【図９】別実施形態における食器洗浄機の要部を分解した斜視図
【符号の説明】
２              洗浄槽
３              引き出し部
３ａ            引き出し部の前壁部分
４              本体部
６              蹴込み部
１１            蹴込み用閉塞体
１３            下方側用閉塞体
１５            上方側用閉塞体
【図１】
2005000362.tif 000003
【図２】
2005000362.tif 000004
【図３】
2005000362.tif 000005
【図４】
2005000362.tif 000006
【図５】
2005000362.tif 000007
【図６】
2005000362.tif 000008
【図７】
2005000362.tif 000009
【図８】
2005000362.tif 000010
【図９】
2005000362.tif 000011